(57)【特許請求の範囲】
【請求項１】
携帯用便器の本体の上面両側に着脱可能に取付けられるアームレストであって、該アームレストは、アーム支持部および支柱からなり、該支柱の根端取付部には該固定棒が貫通する固定棒貫通孔が設けられ、また便器本体の上面両側には該支柱の根端取付部が挿着される挿入孔が設けられ、便器本体の両側面には該固定棒を該挿入孔に挿通するための固定棒挿入孔が設けられ、該支柱の下端部を便器本体の挿入孔に挿入し、該便器本体両側面の固定棒挿入孔および該支柱根端取付部の固定棒貫通孔に固定棒を挿通してアームレストを便器本体に固定する構成であって、該固定棒には前部、中間部、後部に３個のキーが突設され、また該アームレスト支柱の固定棒貫通孔および該便器本体両側面の固定棒挿入孔はキー溝を有しており、該固定棒の前部のキーと中間部のキーと後部のキーを、該固定棒挿入孔の内側および該固定棒貫通孔の内側にそれぞれ係止させることを特徴とするアームレスト取付機構
【発明の詳細な説明】
【０００１】
【発明の属する技術分野】
本発明は携帯用便器のアームレストの取付機構に関するものである。
【０００２】
【従来の技術】
従来、携帯用便器(31)のアームレスト取付機構として図８に示すように、コの字形状のアームレスト(33)の根端部(34)にねじ溝(35)が設け、該根端部(35)を便器本体(32)の内部から該根端部(35)に袋ナット(36)を螺着締付けるものが提供されている。
【０００３】
【発明が解決しようとする課題】
この種の携帯用便器にあっては、ベッドに寝ている使用者あるいは車椅子に乗っている使用者が横から便座に移る際、アームレストが干渉しないように取外すことが必要になるが上記構成のアームレスト取付機構にあっては、アームレストの取付けおよび取外しのつど、便器本体を持ち上げて取付けおよび取外しの作業を行なう必要があるという問題がある。
【０００４】
【課題を解決するための手段】
本発明は上記従来の課題を解決するための手段として、携帯用便器(1)の本体(2)の上面両側に着脱可能に取付けられるアームレスト(3)であって、該アームレスト(3)は、アーム支持部(7)および支柱(8)からなり、該支柱(8)の根端取付部(4)には該固定棒(6)が貫通する固定棒貫通孔(9)が設けられ、また便器本体(2)の上面両側には該支柱(8)の根端取付部(4)が挿着される挿入孔(5)が設けられ、便器本体(2)の両側面には該固定棒(6)を該挿入孔(5)に挿通するための固定棒挿入孔(10)が設けられ、該支柱(8)の下端部を便器本体(2)の挿入孔(5)に挿入し、該便器本体(2)両側面の固定棒挿入孔(10)および該支柱(8)根端取付部(4)の固定棒貫通孔(9)に固定棒(6)を挿通してアームレストを便器本体(2)に固定する構成であって、該固定棒(6)には前部、中間部、後部に３個のキー(11A,11B,11C)が突設され、また該アームレスト支柱(8)の固定棒貫通孔(9)および該便器本体(2)両側面の固定棒挿入孔(10)はキー溝(12,13)を有しており、該固定棒(6)の前部のキー(11A)と中間部(11B)のキーと後部のキー(11C)を、該固定棒挿入孔(10)の内側および該固定棒貫通孔(9)の内側にそれぞれ係止させるアームレスト取付機構を提供するものである。
【０００５】
【作用】
本発明のアームレスト取付機構では、アームレスト(3)を取付ける場合には、固定棒(6)のキー(11A,11B,11C)を便器本体(2)の側面から便器本体(2)に設けた固定棒挿入孔(10)およびアームレスト(3)の支柱(8)の根端取付部(4)に設けた固定棒貫通孔(9)のキー溝(12,13)に合わせた上で、該固定棒(6)を該固定棒挿入孔(10)および該固定棒貫通孔(9)に挿通させ、次いで該固定棒(6)を回転させて該固定棒(6)のキー(11A,11B,11C)を該固定棒挿入孔(10)および該固定棒貫通孔(9)の内側に係止させる。またアームレスト(3)を取外す場合には、固定棒(6)のキー(11A,11B,11C)を固定棒挿入孔(10)および該固定棒貫通孔(9)のキー溝(12,13)に合わせた上で、便器本体(2)側面から該固定棒挿入孔(10)および該固定棒貫通孔(9)に挿通している固定棒(6)を引抜く。
【０００６】
【発明の実施の形態】
本発明の一実施例を図１〜図６に示す。図１に示すように、アームレスト(3)は便器本体(2)の上面両側に着脱可能に取付けられる。
【０００７】
該アームレスト(3)はアーム支持部(7)、支柱(8)および基台(14)からなり、該アーム支持部(7)の下側から前後一対の支柱(8)が垂下し、該支柱(8)の下部に基台(14)が差渡し固定され、該基台(14)の下側からは前後一対の根端取付部(4)が差出された構成となっており、該支柱(8)の根端取付部(4)には、固定棒(6)を挿通するための固定棒貫通孔(9)が設けられている。
【０００８】
便器本体(2)の上面両側には、上記アームレスト(3)の支柱(8)の根端取付部(4)が挿入される挿入孔(5)が設けられており、また便器本体(2)の両側面には固定棒(6)を挿入するための固定棒挿入孔(10)が設けられている。
【０００９】
固定棒(6)には図３に示すように前部、中間部、後部にキー(11A,11B,11C)が突設されているので、それに対応して上記固定棒貫通孔(9)および固定棒挿入孔(10)にはキー溝(12,13)がそれぞれ設けられている。
【００１０】
アームレスト(3)を便器本体(2)に固定するには、図４に示すように、アームレスト(3)の支柱(8)の根端取付部(4)を便器本体(2)の挿入孔(5)に挿着し、該固定棒(6)のキー(11A,11B,11C)を各孔(9,10)のキー溝(12,13)に合わせた上で該固定棒(6)を該便器本体(2)側面から固定棒挿入孔(10)および固定棒貫通孔(9)に挿通させ、次いで該固定棒(6)を回転させて該固定棒(6)のキー(11A,11B,11C)を固定棒挿入孔(10)および固定棒貫通孔(9)の内側に係止させる。該固定棒(6)のキー(11A,11B,11C)が固定棒挿入孔(10)の内側および固定棒貫通孔(9)の内側に係止されることで、アームレスト(3)は便器本体(2)に固定される。
【００１１】
アームレスト(3)を便器本体(2)から取外すときは、固定棒(6)を固定棒挿入孔(10)および固定棒貫通孔(9)から引抜けば良い。この固定棒(6)の引抜きの際、固定棒(6)のキー(11A,11B,11C)の位置を、固定棒挿入孔(10)および固定棒貫通孔(9)のキー溝(12,13)の位置に合せる必要があるが、固定棒(6)のヘッド部(15)にはキー(11A,11B,11C)の位置を示す目印部(16)が設けられているので、該目印部(16)を頼りにキー(11A,11B,11C)とキー溝(12,13)の位置を合わせることが出来、よって容易に固定棒(6)を固定棒挿入孔(10)および固定棒貫通孔(9)から引抜くことが出来る（図５参照）。
【００１２】
なお、アームレスト(3)を取外した状態で、携帯用便器(1)を使用する際は、図６に示すようにカバー(17)を便器本体(2)に取付ける。該カバー(17)の取付は、該カバー(17)の根端取付部(18)を該便器本体(2)の挿入孔(5)に挿着することによって行われる。また該根端取付部(18)には固定棒貫通孔(19)およびキー溝(20)が設けられているので固定棒(6)によって固定することも可能である。
このように便器本体(2)にカバー(17)を取付けることで、アームレスト(3)を取外した状態において、該便器(1)の使用者が使用時に移動する際、便器本体(2)の挿入孔(5)等の凹凸形状にって干渉されない。
【００１３】
他の実施例を図７に示す。上記実施例と同様アームレスト(3A)の根端取付部(4A)にはキー溝(12A)を有した固定棒貫通孔(9A)が設けられ、便器本体(2A)の両側面にはキー溝(13A)を有した固定棒挿入孔(10A)が設けられ、また便器本体(2A)の上面両側には根端取付部(4A)の下端が挿着される挿入孔(5A)が設けられており、該アームレスト(3A)はキー(11D,11E,11F)が設けられた固定棒(6A)によって便器本体(2A)側面から固定される。
【００１４】
【発明の効果】
本発明のアームレスト取付機構は、アームレストを便器本体側面から固定棒で固定する機構なので、便器本体を持ち上げる等の操作を行うことなくアームレストと便器本体との取付けおよび取外しを容易に行うことが出来る。
【図面の簡単な説明】
図１〜図６は本発明の一実施例を示すものである。
【図１】携帯用便器斜視図
【図２】便器本体、アームレストおよび固定棒分解状態斜視図
【図３】固定棒斜視図
【図４】固定棒係止状態アームレスト取付機構平断面図
【図５】固定棒挿通状態側断面図
【図６】カバーおよびアームレスト取外状態斜視図
【図７】他の実施例の便器本体、アームレストおよび固定棒分解状態斜視図
【図８】従来例のアームレスト取付機構側断面図
【符号の説明】
１        携帯用便器
２        本体
３        アームレスト
４        根端取付部
５        挿入孔
６        固定棒
７        アーム支持部
８        支柱
９        固定棒貫通孔
１０        固定棒挿入孔
１１Ａ，１１Ｂ，１１Ｃ    キー
１２、１３  キー溝
【図１】
0003798934.tif 000002
【図２】
0003798934.tif 000003
【図３】
0003798934.tif 000004
【図４】
0003798934.tif 000005
【図５】
0003798934.tif 000006
【図６】
0003798934.tif 000007
【図７】
0003798934.tif 000008
【図８】
0003798934.tif 000009